(57)【特許請求の範囲】
【請求項１】
第１成分を含むクーラントと第２成分を含む組成物とを混合することによって、第１成分と第２成分とから構成される香りを発生させることを含む、クーラントの悪臭を抑制する方法であって、
第１成分が２−エチル−１−ヘキサノールを含み、
第２成分が、下記の組成：
【表１】
0006798795.tif 000002
を有し、且つ香りがライチの香りであるか、
第２成分が、下記の組成：
【表２】
0006798795.tif 000003
を有し、且つ香りがマンゴーの香りであるか、
第２成分が、下記の組成：
【表３】
0006798795.tif 000004
を有し、且つ香りがアップルの香りであるか、
第２成分が、下記の組成：
【表４】
0006798795.tif 000005
を有し、且つ香りがパイナップルの香りであるか、又は
第２成分が、下記の組成：
【表５】
0006798795.tif 000006
を有し、且つ香りがストロベリーの香りである、方法。
【請求項２】
第１成分を含むクーラントと第２成分を含む組成物とを混合することによって、第１成分と第２成分とから構成される香りを発生させることを含む、クーラントの悪臭を抑制する方法であって、
第１成分がピラジン類を含み、
第２成分が、下記の組成：
【表６】
0006798795.tif 000007
を有し、且つ香りがコーヒーの香りであるか、
第２成分が、下記の組成：
【表７】
0006798795.tif 000008
を有し、且つ香りが紅茶の香りであるか、又は
第２成分が、下記の組成：
【表８】
0006798795.tif 000009
を有し、且つ香りがチョコレートの香りである、方法。
【請求項３】
第１成分を含むクーラントの悪臭を抑制するための、第２成分を含む組成物であって、
第１成分を含むクーラントと混合することによって、第１成分と第２成分とから構成される香りを発生させ、
第１成分が２−エチル−１−ヘキサノールを含み、
第２成分が、下記の組成：
【表９】
0006798795.tif 000010
を有し、且つ香りがライチの香りであるか、
第２成分が、下記の組成：
【表１０】
0006798795.tif 000011
を有し、且つ香りがマンゴーの香りであるか、
第２成分が、下記の組成：
【表１１】
0006798795.tif 000012
を有し、且つ香りがアップルの香りであるか、
第２成分が、下記の組成：
【表１２】
0006798795.tif 000013
を有し、且つ香りがパイナップルの香りであるか、又は
第２成分が、下記の組成：
【表１３】
0006798795.tif 000014
を有し、且つ香りがストロベリーの香りである、組成物。
【請求項４】
第１成分を含むクーラントの悪臭を抑制するための、第２成分を含む組成物であって、
第１成分を含むクーラントと混合することによって、第１成分と第２成分とから構成される香りを発生させ、
第１成分がピラジン類を含み、
第２成分が、下記の組成：
【表１４】
0006798795.tif 000015
を有し、且つ香りがコーヒーの香りであるか、
第２成分が、下記の組成：
【表１５】
0006798795.tif 000016
を有し、且つ香りが紅茶の香りであるか、又は
第２成分が、下記の組成：
【表１６】
0006798795.tif 000017
を有し、且つ香りがチョコレートの香りである、組成物。
【発明の詳細な説明】
【技術分野】
【０００１】
本発明は、クーラントの悪臭を抑制する方法及びクーラントの悪臭を抑制するための組成物に関する。
【背景技術】
【０００２】
クーラントを長期間使用すると、クーラント中にバクテリアが繁殖して悪臭を放つことがある。そのため、クーラントの悪臭を抑制する方法として、様々な方法が報告されている。例えば、特許文献１は、オゾンを使用してクーラントを殺菌する方法を開示している。特許文献２は、トリアジン化合物、Ｎ−ブチル−１，２−ベンゾイソチアゾリン−３−オン及び第１級又は第２級有機アミンを含む組成物を使用してクーラントの腐敗を防止することを開示している。特許文献３は、臭気マスキング剤又は芳香剤を不凍濃縮組成物に添加することを開示している。
【先行技術文献】
【特許文献】
【０００３】
【特許文献１】特開２００５−０８８１１８号公報
【特許文献２】特開２０１４−１０５２４４号公報
【特許文献３】特許第４４３８９２０号公報
【発明の概要】
【発明が解決しようとする課題】
【０００４】
クーラントの悪臭を抑制するための芳香剤は、悪臭を打ち消して悪臭を感覚的に感じさせないようにするために、強い香りを有している。そのため、芳香剤の強い香りによって気分が悪くなることがある。また、クーラントの悪臭と芳香剤の香りとの相性が悪い場合には、より強い悪臭が発生することがある。
【０００５】
そのため、本発明は、クーラントの悪臭を抑制するための新たな方法及び組成物を提供することを目的とする。
【課題を解決するための手段】
【０００６】
本発明者等は、クーラントに含まれている成分を利用して好ましい香りを発生させることを検討した。その結果、本発明者等は、好ましい香りが一般的に複数の成分から構成されていることに着目し、好ましい香りを構成する複数の成分のうちでクーラントに含まれていない成分をクーラントに補充することによって、好ましい香りを発生させ、クーラントの悪臭を抑制できることを見出した。
【０００７】
例えば、本発明の実施形態として以下のものを挙げることができる。
［１］
第１成分を含むクーラントと第２成分を含む組成物とを混合することによって、第１成分と第２成分とから構成される香りを発生させることを含む、クーラントの悪臭を抑制する方法。
［２］
第１成分が２−エチル−１−ヘキサノールを含む、［１］に記載の方法。
［３］
香りが、ライチの香り、マンゴーの香り、アップルの香り、パイナップルの香り又はストロベリーの香りである、［２］に記載の方法。
［４］
第１成分がピラジン類を含む、［１］に記載の方法。
［５］
香りが、コーヒーの香り、紅茶の香り又はチョコレートの香りである、［４］に記載の方法。
［６］
第１成分を含むクーラントの悪臭を抑制するための、第２成分を含む組成物であって、
第１成分を含むクーラントと混合することによって、第１成分と第２成分とから構成される香りを発生させる、組成物。
［７］
第１成分が２−エチル−１−ヘキサノールを含む、［６］に記載の組成物。
［８］
香りが、ライチの香り、マンゴーの香り、アップルの香り、パイナップルの香り又はストロベリーの香りである、［７］に記載の組成物。
［９］
第１成分がピラジン類を含む、［６］に記載の組成物。
［１０］
香りが、コーヒーの香り、紅茶の香り又はチョコレートの香りである、［９］に記載の組成物。
【発明の効果】
【０００８】
本発明によれば、クーラントの悪臭を抑制するための新たな方法及び組成物を提供することができる。
【発明を実施するための形態】
【０００９】
本発明の第１実施形態は、第１成分を含むクーラントと第２成分を含む組成物とを混合することによって、第１成分と第２成分とから構成される香りを発生させることを含む、クーラントの悪臭を抑制する方法に関する。
【００１０】
本発明の第２実施形態は、第１成分を含むクーラントの悪臭を抑制するための、第２成分を含む組成物であって、第１成分を含むクーラントと混合することによって、第１成分と第２成分とから構成される香りを発生させる、組成物に関する。
【００１１】
上記の実施形態では、クーラントに含まれている成分を利用するため、クーラントと相性の良い香りを発生させることができる。
【００１２】
上記の実施形態では、クーラントに含まれている成分を利用するため、クーラントの全ての臭いを打ち消す必要がない。そのため、少量の成分を補充するだけで、クーラントの悪臭を抑制することができる。
【００１３】
上記の実施形態では、好ましい香りを発生させて、クーラントの悪臭を抑制することができるため、悪臭によるストレスを軽減することができる。
【００１４】
以下、上記の実施形態について詳細に説明する。
【００１５】
第１成分及び第２成分は、発生させようとする香りに応じて異なる。
第１成分は、１種の成分であってもよいし、２種以上の成分の組み合わせであってもよい。
第２成分は、１種の成分であってもよいし、２種以上の成分の組み合わせであってもよい。
【００１６】
例えば、発生させようとする香りが、Ａ成分、Ｂ成分及びＣ成分から構成される場合、第１成分がＡ成分であり、第２成分がＢ成分及びＣ成分である実施形態を例示することができる。
【００１７】
また、例えば、発生させようとする香りが、Ａ成分、Ｂ成分及びＣ成分から構成される場合、第１成分がＡ成分及びＢ成分であり、第２成分がＣ成分である実施形態を例示することができる。
【００１８】
第１成分の量が少ない場合には、第２成分が第１成分と重複していてもよい。例えば、発生させようとする香りが、Ａ成分、Ｂ成分及びＣ成分から構成される場合、第１成分がＡ成分であり、第２成分がＡ成分、Ｂ成分及びＣ成分である実施形態を例示することができる。本実施形態において、第２成分は、発生させようとする香りを構成する全ての成分を含んでいるが、第２成分におけるＡ成分は第１成分におけるＡ成分を補充するだけの量しか含まれていない。そのため、第２成分は単独でクーラントの悪臭を抑制できるほどの香りを発生させるものではない。
【００１９】
第１成分としては、例えば、２−エチルヘキサノール（２−エチル−１−ヘキサノール等）、ピラジン類、シクロヘキサノン、４−ウンデカノン、ｎ−テトラデカン、ｎ−ペンタデカン、ｎ−ヘプタデカン、ｎ−オクタデカン等を挙げることができる。
ピラジン類としては、２，５−ジメチルピラジン等を挙げることができる。
【００２０】
第２成分は、第１成分と、発生させようとする香りを構成する成分との関係において決定される。
【００２１】
発生させようとする香りとしては、例えば、食べ物の香り、飲み物の香り等を挙げることができる。発生させようとする香りを構成する成分は一般的に知られている。
【００２２】
食べ物としては、例えば、果物（ライチ、マンゴー、アップル、パイナップル、ストロベリー、バナナ、パッションフルーツ等）、菓子（チョコレート等）、ナッツ類（ココナッツ等）等を挙げることができる。
飲み物としては、例えば、コーヒー、紅茶等を挙げることができる。
【００２３】
第１成分が２−エチル−１−ヘキサノールを含む場合、所定の第２成分と組み合わせることによって、ライチの香り、マンゴーの香り、アップルの香り、パイナップルの香り、ストロベリーの香り、バナナの香り、パッションフルーツの香り等を発生させることができる。
【００２４】
第１成分がピラジン類を含む場合、所定の第２成分と組み合わせることによって、コーヒーの香り、紅茶の香り、チョコレートの香り、ココナッツの香り等を発生させることができる。
【実施例】
【００２５】
以下、実施例を用いて本発明をより詳細に説明するが、本発明の技術的範囲はこれに限定されるものではない。
【００２６】
［実施例１：ライチの香り］
クーラントに２−エチル−１−ヘキサノールが含有されている場合、下記の処方例（１）の香料をクーラントに１％以下添加するとライチの香りとなる。
【００２７】
［表１］
処方例（１）
質量%
CIS-3-ヘキセノール                                                 3
酢酸-CIS-3-ヘキセニル                                              6
β-ダマセノン                                                    0.5
酪酸エチル                                                        15
ヘキサン酸エチル                                                 1.5
γ-デカラクトン                                                    3
3,7-ジメチル-1,6-オクタジエン-3-オール［リナロール］               3
ローズオキシド                                                     1
フェネチルアルコール                                               3
ジプロピレングリコール                                            64
合計                                                             100
【００２８】
［実施例２：マンゴーの香り］
クーラントに２−エチル−１−ヘキサノールが含有されている場合、下記の処方例（２）の香料をクーラントに１％以下添加するとマンゴーの香りとなる。
【００２９】
［表２］
処方例（２）
質量%
ヘキサン酸アリル                                                   7
CIS-3-ヘキセノール                                                 7
シトロネロール［(S)-(-)-3,7-ジメチル-6-オクテン-1-オール］         3
酪酸エチル                                                         3
酢酸エチル                                                         7
γ-デカラクトン                                                   20
γ-ノナラクトン                                                    3
γ-オクタラクトン                                                  3
γ-ウンデカラクトン                                                7
酢酸ヘキシル                                                      17
β-イオノン                                                        3
3,7-ジメチル-1,6-オクタジエン-3-オール［リナロール］              10
酢酸3-メチルブチル［酢酸イソアミル］                               3
(Z)-3,7-ジメチル-2,6-オクタジエン-1-オール［ネロール］             7
合計                                                             100
【００３０】
［実施例３：アップルの香り］
クーラントに２−エチル−１−ヘキサノールが含有されている場合、下記の処方例（３）の香料をクーラントに１％以下添加するとアップルの香りとなる。
【００３１】
［表３］
処方例（３）
質量%
酪酸エチル                                                        15
蟻酸エチル                                                        15
蟻酸ペンチル［蟻酸アミル］                                         4
ペンチルアルコール［アミルアルコール］                             2
酪酸ペンチル［酪酸アミル］                                        25
3,7-ジメチル-2,6-オクタジエン-1-オール［ゲラニオール］             2
吉草酸ペンチル［吉草酸アミル］                                    25
ヘキシルアルコール                                                 5
酢酸ヘキシル                                                       2
アセト酢酸エチル                                                   2
3,7-ジメチル-1,6-オクタジエン-3-オール［リナロール］               2
酢酸ゲラニル                                                       1
合計                                                             100
【００３２】
［実施例４：パイナップルの香り］
クーラントに２−エチル−１−ヘキサノールが含有されている場合、下記の処方例（４）の香料をクーラントに１％以下添加するとパイナップルの香りとなる。
【００３３】
［表４］
処方例（４）
質量%
酢酸エチル                                                        25
酪酸エチル                                                        30
ヘキサン酸エチル                                                  30
ヘキサン酸アリル                                                  10
3-シクロヘキシルプロピオン酸アリル                                 2
エチルバニリン                                                     3
合計                                                             100
【００３４】
［実施例５：ストロベリーの香り］
クーラントに２−エチル−１−ヘキサノールが含有されている場合、下記の処方例（５）の香料をクーラントに１％以下添加するとストロベリーの香りとなる。
【００３５】
［表５］
処方例（５）
質量%
酢酸エチル                                                        10
酪酸エチル                                                        25
吉草酸エチル                                                      10
酢酸                                                               5
3,7-ジメチル-1,6-オクタジエン-3-オール［リナロール］               5
酢酸ベンジル                                                       5
3-フェニル-3-メチルオキシラン-2-カルボン酸エチル                  15
CIS-3-ヘキセノール                                                 3
γ-ウンデカラクトン                                                1
バニリン                                                           6
乳酸エチル                                                        15
合計                                                             100
【００３６】
［実施例６：コーヒーの香り］
クーラントに２，５−ジメチルピラジンが含有されている場合、下記の処方例（６）の香料をクーラントに１％以下添加するとコーヒーの香りとなる。
【００３７】
［表６］
処方例（６）
質量%
2-エチル-3-メチルピラジン                                        0.04
5-メチル-2-フルアルデヒド                                        0.72
2-ヒドロキシ-3-メチル-2-シクロペンテノン                         0.76
フラン-2-(メタンチオール)                                        0.08
エタノール                                                       90.4
エチルマルトール                                                    6
バニリン                                                            2
合計                                                              100
【００３８】
［実施例７：紅茶の香り］
クーラントに２，５−ジメチルピラジンが含有されている場合、下記の処方例（７）の香料をクーラントに１％以下添加すると紅茶の香りとなる。
【００３９】
［表７］
処方例（７）
質量%
3,7-ジメチル-1,6-オクタジエン-3-オール［リナロール］              20
2-(2-ヒドロキシ-2-プロピル)-5-メチル-5-ビニルテトラヒドロフラン   30
［リナロールオキシド］
CIS-3-ヘキセノール                                                 6
3,7-ジメチル-2,6-オクタジエン-1-オール［ゲラニオール］            10
ジプロピレングリコール                                            24
ベルガモットオイル                                                10
合計                                                             100
【００４０】
［実施例８：チョコレートの香り］
クーラントに２，５−ジメチルピラジンが含有されている場合、下記の処方例（８）の香料をクーラントに１％以下添加するとチョコレートの香りとなる。
【００４１】
［表８］
処方例（８）
質量%
イソ酪酸バニリン                                                   30
2-ヒドロキシ-3-メチル-2-シクロペンテノン                          0.1
バニリン                                                            1
2-エチル-3,5-ジメチルピラジン                                     0.2
エチルマルトール                                                    1
ジプロピレングリコール                                           67.7
合計                                                              100